(57)【要約】【課題】  既存の光ディスク装置の装着部と互換性を持たせたアッタッチメントを備え、そのアッタッチメントに回転テーブル、駆動手段、及び記録手段を一体として構成することにより、既存の光ディスク装置を使用して容易に光ディスクのラベル印刷を可能としたラベル印刷アッタッチメントを提供する。【解決手段】  この印刷アタッチメント５０は、少なくとも光ディスク２のクランパ（装着部）４と互換性を有する回転テーブル５と、回転テーブル５を所定の回転速度で回転させるモータ（駆動手段）１０と、回転テーブル５上に載置したラベル１に情報を記録するサーマルヘッド（記録手段）６と、を備えて構成される。尚、モータ１０はその回転軸に減速用のプーリ又はギヤによる伝達手段９を備えていても良い。【選択図】  図４
2005262622.tif 000002
【特許請求の範囲】
【請求項１】
少なくとも光ディスクの装着部と互換性を有する回転テーブルを備えた印刷アタッチメントであって、
前記回転テーブルを所定の回転速度で回転させる駆動手段と、前記回転テーブル上に載置したラベルに情報を記録する記録手段と、を備え、前記ラベルに所定の情報を記録する場合、前記光ディスクの代わりに前記印刷アタッチメントを前記光ディスクの装着部に装着し、当該印刷アタッチメントの回転テーブル上に前記ラベルを設定後、前記駆動手段により当該回転テーブルを回転させながら前記記録手段により前記所定の情報を記録することを特徴とする印刷アタッチメント。
【請求項２】
前記回転テーブル、駆動手段、及び記録手段が筐体により一体として構成されていることを特徴とする請求項１に記載の印刷アタッチメント。
【請求項３】
前記ラベルは、該ラベルに加えられた熱によって前記ラベルの透明度や色調が可逆的に変化し、常温で前記透明度又は色調が少なくとも２種類以上の形態で保持される熱可逆性材料から構成されることを特徴とする請求項１に記載の印刷アタッチメント。
【請求項４】
前記記録手段は、前記ラベルを半透明状態に移行するための第１の温度を発熱する記録部と、前記ラベルを透明状態に移行するための第２の温度を発熱する消去部とを備えたことを特徴とする請求項１又は２に記載の印刷アタッチメント。
【請求項５】
前記ラベルの中心開口部と前記回転テーブルの装着部には互いに嵌合する嵌合部を備えたことを特徴とする請求項１、２、又は３に記載の印刷アタッチメント。
【請求項６】
前記回転テーブルの円周に該回転テーブルの速度を検出する速度検出手段を備え、該速度検出手段は前記回転テーブルの円周に形成したスリットからの透過光または反射板からの反射光を検出する光学センサ、または磁性パターンの磁気変化を検出する磁気センサであることを特徴とする請求項１、２、又は５に記載の印刷アタッチメント。
【請求項７】
前記回転テーブルの円周に該回転テーブルの回転開始位置を検出する開始位置検出手段を備え、該開始位置検出手段は前記回転テーブルの円周に形成したスリットからの透過光または反射板からの反射光を検出する光学センサ、または磁性パターンの磁気変化を検出する磁気センサであることを特徴とする請求項１、２、又は５に記載の印刷アタッチメント。
【請求項８】
前記回転テーブル上に前記ラベルを設定する場合、前記回転テーブルと前記ラベルとの間に弾性部材を更に配置することを特徴とする請求項１乃至６の何れか一項に記載の印刷アタッチメント。
【請求項９】
請求項１乃至８の何れか一項に記載の印刷アタッチメントを装着可能とし、該印刷アタッチメントを駆動中は当該光ディスク装置の駆動を停止することを特徴とする光ディスク装置。
【発明の詳細な説明】
【技術分野】
【０００１】
本発明は、印刷アタッチメント及びそれを装着可能な光ディスク装置に関し、さらに詳しくは、光ディスク装置を構造的に変更すること無しに印刷アタッチメントを装着して、光ディスクに貼付するラベルに必要情報を印刷する印刷アタッチメントに関するものである。
【背景技術】
【０００２】
近年、ディスク状のメディアにピットや磁気によるデジタル情報を記録した各種のディスク状メディアが普及している。これらは一般的に、光ディスクと総称されている。このような光ディスクの種類として、音楽用ＣＤやＣＤ−ＲＯＭ、あるいはＤＶＤのような情報が予め記録されているものの他、一度だけ書き込みが可能な追記型光ディスク、複数回書き換えが可能な書換型光ディスクがあり、これらは急速に普及している。
一方、予め情報が記録されている光ディスクには、その記録内容を表示したりデザイン性を高めたりする目的でラベルが表面に貼付されているのが一般的である。例えば、音楽ＣＤにはそのラベル面にタイトルや曲名が所定の絵柄と共に印刷され、ＣＤ−ＲＯＭのラベル面にはその記録内容等が所定の絵柄と共に印刷されている。これに対し、追記型光ディスクや書換型光ディスクでは、ユーザ自らが所望の情報を書き込むという使い方がなされるので、予め所定事項を印刷したラベルを貼付するわけにはいかない。このため、このような種類の光ディスクでは、それを収納するケースに記録内容を書き込めるようにしてあるのが一般的である。しかしながら、追記型や書換型の光ディスクにも、音楽ＣＤ等に貼付されているような予め情報が印刷されているラベルを設け、このラベルにユーザが必要事項を書き込むことができれば便利である。このようなことから、追記型光ディスクに貼付されたラベルに必要事項を印刷できるようにした印刷装置が商品化されている。
また、特許第３３４１５７２号には、光ディスクに対して情報の記録・再生を行う光ディスク装置にそのような印刷機構を内蔵させた技術について開示されている。また、特開平１１−２８３３５６号公報には、書換型光ディスクでは、その記録情報の書き換えに応じてラベルに記録された記録内容も書き換える必要が生ずることから、書換型光ディスクに印刷する技術が開示されている。
【特許文献１】特許第３３４１５７２号
【特許文献２】特開平１１−２８３３５６号公報
【発明の開示】
【発明が解決しようとする課題】
【０００３】
しかしながら、従来の既に商品化されている印刷装置の場合、ユーザはその印刷装置を別途購入し設置して使用しなければならないといった問題がある。
また特許文献１に開示されている従来技術は、光ディスクに印刷ヘッドとＸＹ方向に自在に駆動する駆動手段を備え、光ディスクにインクを吹き付けて印字イメージを印刷するものであり、印字イメージを書き換えることができないため、書換型光ディスクには使用することができず使用範囲が限定されるといった問題がある。
また特許文献２に開示されている従来技術は、既存の光ディスク装置を改造するか、若しくはその機能が予め備えられた光ディスク装置を用意しなければならず、既存の光ディスク装置をそのまま使用できないといった問題がある。
本発明は、かかる課題に鑑み、既存の光ディスク装置の装着部と互換性を持たせたアッタッチメントを備え、そのアッタッチメントに回転テーブル、駆動手段、及び記録手段を一体として構成することにより、既存の光ディスク装置を使用して容易に光ディスクのラベル印刷を可能としたラベル印刷アッタッチメントを提供することを目的とする。
また他の目的は、ラベルを熱可逆性材料とすることにより、ラベルの再使用を可能とすることである。
【課題を解決するための手段】
【０００４】
本発明はかかる課題を解決するために、請求項１は、少なくとも光ディスクの装着部と互換性を有する回転テーブルを備えた印刷アタッチメントであって、前記回転テーブルを所定の回転速度で回転させる駆動手段と、前記回転テーブル上に載置したラベルに情報を記録する記録手段と、を備え、前記ラベルに所定の情報を記録する場合、前記光ディスクの代わりに前記印刷アタッチメントを前記光ディスクの装着部に装着し、当該印刷アタッチメントの回転テーブル上に前記ラベルを設定後、前記駆動手段により当該回転テーブルを回転させながら前記記録手段により前記所定の情報を記録することを特徴とする。
本発明の特徴は、既存の光ディスク装置を利用してその装着部に印刷アタッチメントの回転テーブルを装着し、専用の駆動手段により回転テーブルを回転しながら回転テーブル上に設定されたラベルに情報を記録するものである。従って、既存の光ディスク装置を利用してラベルに情報を記録することが可能となる。
かかる発明によれば、光ディスクに貼付するラベルに所定の情報を記録する場合、光ディスクの代わりに印刷アタッチメントを光ディスクの装着部に装着し、当該印刷アタッチメントの回転テーブル上にラベルを設定後、駆動手段により当該回転テーブルを回転させながら記録手段により情報を記録するので、既存の光ディスク装置を利用してラベル印刷を容易に且つ確実に行うことができる。
請求項２は、前記回転テーブル、駆動手段、及び記録手段が筐体により一体として構成されていることを特徴とする。
既存の光ディスク装置に手を加えないためには、本印刷アタッチメントに必要な構成要素が全て一体として構成されていなければならない。
かかる発明によれば、回転テーブル、駆動手段、及び記録手段が筐体により一体として構成されているので、既存の光ディスク装置の構造には全く手を加えることなく、ラベルに情報を記録することができる。
【０００５】
請求項３は、前記ラベルは、該ラベルに加えられた熱によって前記ラベルの透明度や色調が可逆的に変化し、常温で前記透明度又は色調が少なくとも２種類以上の形態で保持される熱可逆性材料から構成されることを特徴とする。
ラベルを何度も再使用するためには、ラベルに記録した情報を消去したり記録したりできなければならない。また、常温でその状態が安定していることが必要である。それに最適な記録媒体として温度により２つ以上の態様が実現可能で、且つ常温でその態様を安定的に保持する熱可逆性材料がある。この代表的なものとしてＴＣフィルムがある。
かかる発明によれば、ラベルは、このラベルに加えられた熱によってラベルの透明度や色調が可逆的に変化し、常温で透明度又は色調が少なくとも２種類以上の形態で保持される熱可逆性材料から構成されるので、情報の書き換えが可能となり、ラベルとして試用した場合に再使用が可能となる。
請求項４は、前記ラベルは、前記ラベルを半透明状態に移行するための第１の温度を発熱する記録部と、前記ラベルを透明状態に移行するための第２の温度を発熱する消去部とを備えたことを特徴とする。
熱可逆性材料の特性は、常温から所定の温度範囲（第２の温度）まで温度を加熱すると透明度が高くなり（消去）その状態から常温に戻してもその状態（透明）を維持する。また常温から前記の温度より更に高い温度範囲（第１の温度）に加熱すると半透明状態となり、そこから常温に戻すと白濁する（記録）。この特性を利用してラベルに情報を記録する時は、記録部を第１の温度を維持しながら情報で変調することにより情報を記録することができる。そして再使用する場合は、消去部を第２の温度に維持してラベルの消去する部分を加熱すればよい。
かかる発明によれば、記録手段は、ラベルを半透明状態に移行するための第１の温度を発熱する記録部と、ラベルを透明状態に移行するための第２の温度を発熱する消去部とを備えたので、温度を制御することにより、ラベルに情報を記録したり、その情報を消去することが繰り返し可能となる。
【０００６】
請求項５は、前記ラベルの中心開口部と前記回転テーブルの装着部には互いに嵌合する嵌合部を備えたことを特徴とする。
ラベル上の情報の位置合わせは、ラベルを回転テーブルに設定するときに常に一定の場所に設定されることにより可能となる。即ち、ラベルを回転テーブルに設定する度に位置がずれると、部分的に情報を消去したり、書き換える場合に関係のない部分を消去する危険性が生じる。そこで本発明では、ラベルの中心開口部と回転テーブルの装着部が凹凸で嵌合するように嵌合部を備えておく。これにより、ラベルの中心開口部を回転テーブルの嵌合部に嵌合させるだけで常に一定の位置合わせを行うことができる。
かかる発明によれば、ラベルの中心開口部と回転テーブルの装着部には互いに嵌合する嵌合部を備えたので、ラベルと回転テーブルの相対位置を常に一定にすることができる。
請求項６は、前記回転テーブルの円周に該回転テーブルの速度を検出する速度検出手段を備え、該速度検出手段は前記回転テーブルの円周に形成したスリットからの透過光または反射板からの反射光を検出する光学センサ、または磁性パターンの磁気変化を検出する磁気センサであることを特徴とする。
回転テーブルの速度を検出するには、回転テーブル自身の回転を何らかの方法で検出するのが最も正確で且つ確実である。その方法として例えば、回転テーブルの円周にスリットを形成して、透過型のセンサにより読み取ったり、反射板を円周に設けて反射型のセンサにより読み取ったり、あるいは磁性パターンを円周に設けて磁気センサにより読み取ったりすることが考えられるが、何れの方法でも構わない。
かかる発明によれば、速度検出手段は回転テーブルの円周に形成したスリットからの透過光または反射板からの反射光を検出する光学センサ、または磁性パターンの磁気変化を検出する磁気センサであるので、実際の回転テーブルの速度検出の精度を高くすることができる。
請求項７は、前記回転テーブルの円周に該回転テーブルの回転開始位置を検出する開始位置検出手段を備え、該開始位置検出手段は前記回転テーブルの円周に形成したスリットからの透過光または反射板からの反射光を検出する光学センサ、または磁性パターンの磁気変化を検出する磁気センサであることを特徴とする。
回転テーブル上のラベルの絶対的な位置を検出するためには、回転テーブルの開始位置を特定する必要がある。そのためには、円周上に１箇所だけスリットを形成して、透過型のセンサにより読み取ったり、反射板を円周の１箇所に設けて反射型のセンサにより読み取ったり、あるいは磁性パターンを円周の１箇所に設けて磁気センサにより読み取ったりすることが考えられるが、何れの方法でも構わない。
かかる発明によれば、開始位置検出手段は円周に形成したスリットからの透過光または反射板からの反射光を検出する光学センサ、または磁性パターンの磁気変化を検出する磁気センサであるので、回転テーブルの開始位置からの距離を正確に判断することができる。
【０００７】
請求項８は、前記回転テーブル上に前記ラベルを設定する場合、前記回転テーブルと前記ラベルとの間に弾性部材を更に配置することを特徴とする。
ラベルに情報を記録する場合、記録手段から熱を加熱して記録するため、記録手段とラベルは一定の圧力で接していなければならない。そこで本発明では、回転テーブルとラベルとの間に弾性部材を更に配置することにより、密着性を増加するものである。
かかる発明によれば、回転テーブル上にラベルを設定する場合、回転テーブルとラベルとの間に弾性部材を更に配置するので、ラベルと記録手段との密着性を更に増加することができる。
請求項９は、請求項１乃至８の何れか一項に記載の印刷アタッチメントを装着可能とし、該印刷アタッチメントを駆動中は当該光ディスク装置の駆動を停止することを特徴とする。
本発明の印刷アタッチメントは、その装着部が既存の光ディスクと互換性があるため、光ディスクを取り外して本発明の印刷アタッチメントを取り付けられれば、どのような光ディスク装置でも使用することができる。そしてこの印刷アタッチメントを駆動するときは、駆動源（モータ）が異なるので当該光ディスク装置の駆動を停止する必要がある。
かかる発明によれば、光ディスク装置は印刷アタッチメントを装着可能とし、この印刷アタッチメントを駆動中は当該光ディスク装置の駆動を停止するので、光ディスク装置に悪影響を与えることを未然に防止することができる。
【発明の効果】
【０００８】
請求項１の発明によれば、光ディスクに貼付するラベルに所定の情報を記録する場合、光ディスクの代わりに印刷アタッチメントを光ディスクの装着部に装着し、当該印刷アタッチメントの回転テーブル上にラベルを設定後、駆動手段により当該回転テーブルを回転させながら記録手段により情報を記録するので、既存の光ディスク装置を利用してラベル印刷を容易に且つ確実に行うことができる。
また請求項２では、回転テーブル、駆動手段、及び記録手段が筐体により一体として構成されているので、既存の光ディスク装置の構造には全く手を加えることなく、ラベルに情報を記録することができる。
また請求項３では、ラベルは、このラベルに加えられた熱によってラベルの透明度や色調が可逆的に変化し、常温で透明度又は色調が少なくとも２種類以上の形態で保持される熱可逆性材料から構成されるので、情報の書き換えが可能となり、ラベルとして試用した場合に再使用が可能となる。
また請求項４では、記録手段は、ラベルを半透明状態に移行するための第１の温度を発熱する記録部と、ラベルを透明状態に移行するための第２の温度を発熱する消去部とを備えたので、温度を制御することにより、ラベルに情報を記録したり、その情報を消去することが繰り返し可能となる。
また請求項５では、ラベルの中心開口部と回転テーブルの装着部には互いに嵌合する嵌合部を備えたので、ラベルと回転テーブルの相対位置を常に一定にすることができる。
また請求項６では、速度検出手段は回転テーブルの円周に形成したスリットからの透過光または反射板からの反射光を検出する光学センサ、または磁性パターンの磁気変化を検出する磁気センサであるので、実際の回転テーブルの速度検出の精度を高くすることができる。
また請求項７では、開始位置検出手段は円周に形成したスリットからの透過光または反射板からの反射光を検出する光学センサ、または磁性パターンの磁気変化を検出する磁気センサであるので、回転テーブルの開始位置からの距離を正確に判断することができる。
また請求項８では、回転テーブル上にラベルを設定する場合、回転テーブルとラベルとの間に弾性部材を更に配置するので、ラベルと記録手段との密着性を更に増加することができる。
また請求項９では、光ディスク装置は印刷アタッチメントを装着可能とし、この印刷アタッチメントを駆動中は当該光ディスク装置の駆動を停止するので、光ディスク装置に悪影響を与えることを未然に防止することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態の光ディスクとラベルの分解斜視図である。図２はラベル印字例を示す平面図である。図１及び図２に示すように、光ディスク２には光ディスク２の片面（非記録面）にラベル１をユーザが貼り付ける形態を想定する。このラベル１は、熱可逆性記録媒体からなるいわゆるＴＣフィルムである。即ち、加えられた熱によってその透明度や色調が可逆的に変化し、常温で透明度又は色調が２種類以上の形態で保持される熱可逆性材料から構成されたフィルムがラベル１として用いられている。
【００１０】
より詳細には図１４を参照して熱可逆性記録媒体の記録原理について説明する。縦軸にＴＣフィルムの透明度を表し、横軸は加熱温度を表す。本実施形態のラベル１の場合、温度Ｔ０（Ａ）、Ｔ１（Ｂ）、Ｔ２（Ｃ）、Ｔ３（Ｄ）の温度に加熱すると透明度が大（Ｅのポイント）となり、その後、温度をＴ３（Ｄ）、Ｔ２（Ｃ）、Ｔ０（Ｅ）以下の常温に戻っても透明状態が大に維持される。また、温度Ｔ０（Ａ）、Ｔ１（Ｂ）、Ｔ２（Ｃ）、Ｔ３（Ｄ）、Ｔ４（Ｆ）以上に加熱すると半透明状態になり、その後、Ｔ４（Ｆ）、ポイントＧ、Ｔ０（Ａ）以下の常温に戻ると白濁する。このような現象が生ずるのは、ラベル１を構成する樹脂母材中に分散した有機低分子物質の粒子と樹脂母材とが隙間なく密着し、かつ、有機低分子物質の粒子部内にも空隙がない状態において、片側から入射した光は散乱することなく反対側に透過するためにラベル１が透明に見え、これに対し、有機低分子物質の粒子の微細な結晶が集合して多結晶で構成されると、結晶の界面もしくは粒子と樹脂母材との界面に隙間が生じ、片側から入射した光が空隙と結晶、結晶と樹脂の界面で屈折・反射して散乱するためにラベル１が白く見えるためである。
もっとも、ラベル１としては、透明状態と白濁状態との２態様に変化してその状態が保持される本実施形態のラベル１に限らず、色調が２態様以上に変化してその状態が保持される各種の熱可逆性記録媒体を選択的に用いることが可能である。つまり、第１の温度に加熱されると第１の状態となって第２の温度に加熱されると第１の状態とは異なる第２の状態となる媒体であれば、ラベル１として用いることが可能である。
また、追記型および書換型光ディスクにはデータとして何が記録されるかはユーザ次第であるが、外見だけでは内容を判別することはできない。したがって図２のようにラベル１に簡単な情報たとえばタイトルやアーティスト名１ａ、日付や残りの容量（残記録時間）１ｂが容易に視認できるようになれば使い勝手は格段に良くなる。
図３は一般的な光ディスク装置の側面図である。図１と同じ構成要素には同じ参照番号を付して説明する。図３において光ディスク２は回転駆動モータ３に回転自在に支持されクランパー４に組み込まれた永久磁石の磁力で挟み込まれて一体となっている。一方、光ディスク２にアクセスするための光ピックアップ７に設置された対物レンズ７ａによりレーザー光が収束して記録または再生を行う。光ピックアップ７は図３の矢印方向である光ディスク２の半径方向に移動自在に支持されている。
【００１１】
図４は本発明の実施形態の光ディスク装置にセットされた印刷アタッチメントの概略構成を示す側面図である。この印刷アタッチメント５０は、少なくとも光ディスク２のクランパ（装着部）４と互換性を有する回転テーブル５と、回転テーブル５を所定の回転速度で回転させるモータ（駆動手段）１０と、回転テーブル５上に載置したラベル１に情報を記録するサーマルヘッド（記録手段）６と、を備えて構成される。尚、モータ１０はその回転軸に減速用のプーリ又はギヤによる伝達手段９を備えていても良い。後述のように、伝達手段９は、これをテーブル５に接触させて回転させる。
この例ではラベル１を上面に仮に貼り付けした回転テーブル５が図３の光ディスク２の代わりに回転自在に支持されている。そして光ピックアップ７と相対する上側にラベル１を印刷するサーマルヘッド６が設置されている。サーマルヘッド６は印刷情報を熱に変換してラベル１に効率よく伝達し良好な印刷品質を得るためにラベル１と密着する必要がある。
図５は図４の印刷アタッチメント５０を更に詳細に説明するための分解斜視図である。図４と同じ構成要素には同じ参照番号を付して説明する。サーマルヘッド６は複数の発熱素子を基板上にパターン形成した基板６ａと発熱素子から発生する余分な熱を放熱する放熱板６ｂから構成される。また光ディスク装置にはデータ記録用に光ディスクの回転駆動モータ３が設置されているが、光ディスクに対するデータ記録は高速化が進んでおり毎分１００００回転近いスピードで光ディスクを高速回転させる。それに対して、ラベルへの感熱記録は毎分１〜２回転という低速回転で駆動する必要があり、一つのモータでどちらも精度良く回転駆動させることは極めて困難である。そこで低速回転用のモータ１０を設け、モータ１０は摩擦を利用したプーリ９を回転テーブル５の外周側面５ａに当接して回転力を回転テーブル５に伝達している。尚、プーリ９の代わりに図６にように回転テーブル５の外周側面にギア５ｅを形成してギア９ａによりモータ１０の回転力を伝達しても良い。尚、既存の光ディスク装置に手を加えないためには、本印刷アタッチメント５０に必要な回転テーブル５、サーマルヘッド６、プーリ９、モータ１０が全て一体として構成されていなければならないが、これらを一体化するには左程の困難はない。例えば、図７のように堅牢な筐体３４にモータ１０を固定し、そのプーリ９が回転テーブル５に当接するように設定する。また回転テーブル５は位置を固定するために補助プーリ３１と３２により下から支えられ、補助プーリ３１と３２はその軸心部をそれぞれ軸３０、３３に固定され、軸３０、３３は筐体によって支持されている。また補助プーリ３１と３２は回転テーブル５の回転に従動して回転する。更にサーマルヘッド６は矢印の方向に退避自在に筐体３４に固定される。これにより、回転テーブル５にラベル１をセットする際、サーマルヘッド６を矢印の方向に逃がすことができる。
【００１２】
図８は本発明の第１の実施形態の印刷アタッチメントの分解斜視図である。回転テーブル５はラベル１の位置決め用嵌合突起５ｃを備える。これに対応してラベル１には嵌合突起５ｃを整合状態で嵌合するのに適した形状を有した嵌合凹部１ｃが切り欠かれている。この２つが嵌合することによりラベル１と回転テーブル５は一義的に回転方向の位置が決定される。従って書換型光ディスクに書換ラベルを使用するような場合には、元々書いてあった情報をアプリケーションが保存しておくことにより、あるいは元々書いてあった情報を読み取ることにより、そこに追記したり一部のみ書き換えたりすることが可能になる。また、回転テーブル５には低速回転速度を検出するためにスリット５ｂが全外周に亘って所定ピッチで形成されている（図では一部分のみ図示し、他は省略している）。図８の例では光学式センサーのためのスリット５ｂであるが、他の手段として回転テーブル５の全外周に亘って反射板を形成して反射型センサにより検出したり、磁気センサーと磁気スリットを設けてもよい。
図９は回転テーブル５の開始位置検出手段の一例を示す斜視図である。この開始位置検出手段は、例えば透過スリット５ｄを適所に一つ設けることで実施できる。回転テーブル５の開始位置が検出できれば、ラベル１とは嵌合位置決めにより位置が決定されているので、本発明の光ディスク装置はラベルがどの回転位置にあるかを正確に知ることができ、前述のラベル追記や一部のみ書き換えが可能になる。図９の例では光学式センサーのためのスリット５ｄであるが、他の手段として反射板を形成して反射型センサにより検出したり、磁気センサーと磁気スリットを設けてもよい。
【００１３】
図１０は図９の回転テーブル５において、スリットとセンサの位置関係を説明する図である。速度検出手段と開始位置検出手段は回転テーブル５の透過スリット５ｂと５ｄおよび発光素子１１ｂ、１２ｂからなる。回転テーブル５が回転し透過スリット５ｂ、５ｄが発光素子１１ｂ、１２ｂと受光素子１１ａ、１２ａの間にあるときは、発光素子１１ｂ、１２ｂの光を受光して受光素子１１ａ、１２ａは電気的にＨｉｇｈまたはＬｏｗとなり、透過スリットでない遮光部分が発光素子の光を横切る時には受光素子に光が入らないのでＬｏｗまたはＨｉｇｈとなる。このＨｉｇｈとＬｏｗの信号が単位時間当たりに切り替わる数で回転速度を算出することができる。同様の原理で位置検出についても遮光部から透過スリット５ｄに切り替わる瞬間を発光素子の光を受ける受光素子の信号がＨｉｇｈからＬｏｗまたはＬｏｗからＨｉｇｈに変化することで知ることができる。
また現在主流となっている光ディスクはその光学特性の良さと量産性の良さおよび価格の面から基板の材料はポリカーボネイトでできている。このポリカーボネイトは１．２ｍｍの薄い板であるので、生産時はもちろん輸送中や保管時の環境変化により図１１に示す反りが発生する。特にＤＶＤは０．６ｍｍのポリカーボネイトを２枚貼り合せて１枚の１．２ｍｍのディスクを形成しており、貼り合わせにより生産されることからさらに反りが避けられない。サーマルヘッド６は印刷情報を熱に変換してラベル１に効率よく伝達し良好な印刷品質を得るためにラベル１と密着しなければならない。密着できずにサーマルヘッドとラベルの間にミクロン単位の空気の層ができると熱伝達が極端に悪くなるので、ラベル付きの光ディスクに印刷する場合にもサーマルヘッド６に図１２に示す如く矢印で示す圧力Ｐをかけてラベル１の表面に密着させなければならない。ところが、光ディスクの反りを矯正して半径方向全域にわたって密着させるのは困難である。なぜならサーマルヘッドと相対する位置には光ピックアップ７があり、レーザ光でアクセスする際にはサーマルヘッドを退避させる複雑な機構としなければならないからである。本発明によれば回転テーブル５は光ディスク２とは別の材質で構成され、機械特性の良いガラスや金属を使用することで平面性が良くサーマルヘッド６に高い圧力をかける必要はない。また、剛性も高くすることができるので圧力に対する抵抗も高い。
図１３は本発明の回転テーブルに弾性部材を配設した例を説明する図である。本実施形態のように回転テーブル５とラベル１の間にＰＥＴフィルムなどで構成される弾性部材５ｆを配設することにより、ラベル１の柔らかさを活かして硬いセラミックを材料とするサーマルヘッド６の表面との密着性を良くすることが可能となる。
【００１４】
図１５は本発明の光ディスク装置の制御系のブロック図である。この光ディスク装置６０は、本光ディスク装置６０全体の制御を司るコントローラ２１と、光ディスク２の情報を読み書きする光ピックアップ７と、この光ピックアップ７を光ディスク２の半径方向に移動するスレッジモータ２３と、光ディスク２を回転するスピンドルモータ３と、回転テーブル５を低速で回転するモータ１０と、光ディスク２に貼付されたラベル１に情報を記録するサーマルヘッド６と、回転テーブル５の回転速度を検出する速度検出手段１１と、回転テーブル５のホームポジションを検出する開始位置検出手段１２と、各種ドライバ、ＲＯＭ、ＲＡＭなどを備えるドライバ回路２４と、を備えて構成される。
尚、光ピックアップ７は、この光ピックアップ７を光ディスク２の半径方向に移動自在に支持するキャリアシャフト８に支持されている（図５参照）。つまり、光ピックアップ７は一対のキャリアシャフト８にスライド自在に取り付けられ、図示しない動力伝達機構を介してスレッジモータ２３に駆動されて光ディスク２の半径方向に移動する。ここで、図３、４または５には対物レンズ７ａのみしか示さないが、光ピックアップ７には図示を省略するが、レーザダイオードと、このレーザダイオードから照射されたレーザ光を対物レンズを介して光ディスク２の記録面にスポット照射させる照射光学系と、光ディスク２の反射光からレファレンス信号、トラッキング信号及びフォーカシング信号を得るために各種受光部に光ディスク２の反射光を導く戻り光学系とが搭載されている。ここで、照射光学系と戻り光学系とは、多くの光学部品を共用する。
また、サーマルヘッド６は、多数の発熱素子がライン上に配設されており、後述するコントローラ２１に駆動制御されて各発熱素子を第１の温度と第２の温度との二種類の発熱エネルギーで選択的に発熱させる。つまり、サーマルヘッド６における発熱素子の第１の温度は、光ディスク２に貼付されたラベル１を温度Ｔ４以上に加熱する温度であり、発熱素子の第２の温度は、ラベル１を温度Ｔ２から温度Ｔ３の間の温度に加熱する温度である。ここで、サーマルヘッド６における発熱素子の配列方向は、クランパ４に装着された光ディスク２の半径方向と直行する方向である。
【００１５】
またドライバ回路２４は、ホストコンピュータ２０にバス接続されたコントローラ２１に対し、光ピックアップ７、サーマルヘッド６、各種モータドライバがバス接続されて構成された回路である。このような回路構成の下、コントローラ２１は、光ピックアップ７が備えるレーザダイオードからのレーザ光の照射タイミングや照射強度等を制御し、サーマルヘッド６の各発熱素子の発熱の有無、発熱タイミング及び発熱温度等を制御し、各種モータドライバに対するスピンドルモータ３やスレッジモータ２３等の駆動制御信号のタイミング等を制御する。つまり、ホストコンピュータ２０はＲＯＭに格納された動作プログラムに従い動作する各種演算処理を実行して、各部を集中的に制御するＣＰＵの制御の下、コントローラ２１に各種駆動制御信号をあたえ、これらの駆動制御信号に基づいてコントローラ２１が各部を駆動制御する。この場合、ユーザはホストコンピュータ２０と、図示しないキーボード等によって、サーマルヘッド６によるラベル１への書込み情報の入力を作成し、入力された情報に基づく書込み信号をホストコンピュータ２０から光ディスク装置６０に出力する。この際、光ディスク装置６０に内蔵されたメモリバッファに書込み情報が一旦展開され、このメモリバッファに展開された書込みデータに基づいて書込み信号が出力されることになる。
【００１６】
図１６は本発明のラベル印刷の流れを示すフローチャートである。まず光ディスク装置６０から光ディスク２を外し、例えば図７に示すような印刷アタッチメント５０をクランパ４に挿入して回転テーブル５にラベル１を設定する（Ｓ１）。挿入されたのが光ディスクであれば（Ｓ２でＮＯのルート）、光ディスクマウントの処理に移行する（Ｓ８）。ステップＳ２で印刷アタッチメント５０であれば（Ｓ２でＹＥＳのルート）、ホストコンピュータ２０によって作成された印刷データをコントローラ２１が受け取る（Ｓ３）。そしてコントローラ２１はサーマルヘッド６に加える信号に変換し（Ｓ４）、回転テーブル５を低速回転させホームポジションを検出する（Ｓ５）。次に回転テーブル５の速度を検出し、一定速度を保持する制御をしながらサーマルヘッド６によりラベル１に印刷データを印刷する（Ｓ６）。そして印刷終了後、回転テーブル５の回転を停止する（Ｓ７）。
【図面の簡単な説明】
【００１７】
【図１】本発明の実施形態の光ディスクとラベルの分解斜視図。
【図２】本発明のラベル印字例を示す平面図。
【図３】一般的な光ディスク装置の側面図。
【図４】本発明の実施形態の光ディスク装置にセットされた印刷アタッチメントの概略構成を示す側面図。
【図５】図４の印刷アタッチメント５０を更に詳細に説明するための分解斜視図。
【図６】回転テーブルとプーリをギアにより構成した場合の部分図。
【図７】一体化された印刷アタッチメントの構成図。
【図８】本発明の第１の実施形態の印刷アタッチメントの分解斜視図。
【図９】回転テーブル５の絶対位置検出の一例を示す斜視図。
【図１０】図９の回転テーブル５において、スリットとセンサの位置関係を説明する図。
【図１１】光ディスクが反った場合のサーマルヘッドとの関係を表す図。
【図１２】サーマルヘッドに圧力をかけて光ディスクの反りを矯正した図。
【図１３】回転テーブルに弾性部材を配設した例を説明する図。
【図１４】ＴＣフィルムの温度と透明度の関係を表す図。
【図１５】本発明の光ディスク装置の制御系のブロック図。
【図１６】本発明のラベル印刷の流れを示すフローチャート。
【符号の説明】
【００１８】
１  ラベル、２  光ディスク、３  スピンドルモータ、４  クランパ、５  回転テーブル、６  サーマルヘッド、７  光ピックアップ、９  プーリ、１０  低速回転モータ
【図１】
2005262622.tif 000003
【図２】
2005262622.tif 000004
【図３】
2005262622.tif 000005
【図４】
2005262622.tif 000006
【図５】
2005262622.tif 000007
【図６】
2005262622.tif 000008
【図７】
2005262622.tif 000009
【図８】
2005262622.tif 000010
【図９】
2005262622.tif 000011
【図１０】
2005262622.tif 000012
【図１１】
2005262622.tif 000013
【図１２】
2005262622.tif 000014
【図１３】
2005262622.tif 000015
【図１４】
2005262622.tif 000016
【図１５】
2005262622.tif 000017
【図１６】
2005262622.tif 000018